(57)【要約】【課題】処置を行う際に補助者を要することなく先端処置部材が最大限に突出した状態を保つことができて、内視鏡の処置具挿通チャンネルに挿脱する際にも補助者を要することなく先端処置部材を最も退避した状態に保つことができ、しかも、シンプルな構成で操作性がよい内視鏡用前方突出型処置具を提供すること。【解決手段】先端処置部材３を突出方向に付勢する付勢手段７が設けられると共に、先端処置部材３の退避状態においてスライド操作部材１４を操作部本体１１に係止及び係止解除自在な操作部材ロック手段が設けられ、その操作部材ロック手段が、スライド操作部材１４と共にスライドするスライド爪１６と、略Ｊ字状に形成されて長軸部２３の先端にスライド爪１６と係脱するロック爪２１が形成され、ロック爪２１をスライド爪１６と係合しない位置まで変位させるための押込操作用突片２６が形成された板ばね部材２０と、を備えている。【選択図】      図１
2008295609.tif 000002
【特許請求の範囲】
【請求項１】
内視鏡の処置具挿通チャンネルに挿脱される可撓性シースの先端部分に配置された先端処置部材が、上記可撓性シース内に挿通された可撓性の操作ワイヤを上記可撓性シースの基端に連結された操作部において軸線方向に進退操作することにより、上記可撓性シースの先端から前方に突出して進退するように構成された内視鏡用前方突出型処置具であって、
上記操作部には、上記可撓性シースの基端に連結された操作部本体と、上記操作ワイヤの基端に連結されて上記操作部本体に対しスライド自在に係合するスライド操作部材とが設けられた内視鏡用前方突出型処置具において、
上記先端処置部材を上記可撓性シースの先端から前方に突出する方向に付勢する付勢手段が設けられると共に、上記先端処置部材が上記付勢手段の付勢力に抗して上記可撓性シースの先端側に引き寄せられた状態において、上記スライド操作部材を上記操作部本体に対し係止及び係止解除自在な操作部材ロック手段が上記操作部に設けられ、
上記操作部材ロック手段が、
上記スライド操作部材と共にスライドするように上記スライド操作部材に連結されたスライド爪と、
短軸部と長軸部とそれらをつなぐ曲げ戻し部とを有する略Ｊ字状に形成されて、上記短軸部が上記操作部本体に係止されると共に、上記長軸部の先端に上記スライド爪と係脱するロック爪が形成されて、上記ロック爪を上記スライド爪と係合しない位置まで変位させるように上記曲げ戻し部を弾性変形させるための押込操作用突片が上記長軸部の途中に突出形成された板ばね部材と、
を備えていることを特徴とする内視鏡用前方突出型処置具。
【請求項２】
上記付勢手段が上記可撓性シースの先端部分に内蔵されている請求項１記載の内視鏡用前方突出型処置具。
【請求項３】
上記板ばね部材が上記操作部本体内に配置されていて、上記板ばね部材の各部のうち上記押込操作用突片だけが上記操作部本体の表面から突出している請求項１又は２記載の内視鏡用前方突出型処置具。
【請求項４】
上記スライド爪が、上記操作部本体内において上記スライド操作部材から後方に延出配置されている請求項１、２又は３記載の内視鏡用前方突出型処置具。
【発明の詳細な説明】
【技術分野】
【０００１】
この発明は、内視鏡の処置具挿通チャンネルに通して使用される内視鏡用前方突出型処置具に関する。
【背景技術】
【０００２】
内視鏡の処置具には、可撓性シースの先端部分に配置された先端処置部材が遠隔操作によって嘴状に開閉動作するもの、膨縮動作するもの、或いは前後に進退動作するもの等があるが、本発明は、そのうちの進退動作をする内視鏡用前方突出型処置具に係るものである。
【０００３】
そのような内視鏡用前方突出型処置具は一般に、内視鏡の処置具挿通チャンネルに挿脱される可撓性シースの先端部分に配置された先端処置部材が、可撓性シース内に挿通された操作ワイヤを可撓性シースの基端に連結された操作部において軸線方向に進退操作することにより、可撓性シースの先端から前方に突出して軸線方向に進退動作するように構成されている（例えば、特許文献１）。
【特許文献１】特開２００４−３１３５３７
【発明の開示】
【発明が解決しようとする課題】
【０００４】
上述のような内視鏡用前方突出型処置具を使用する場合には、例えば高周波電流を通電しながら先端処置部材を可撓性シースの先端から最も前方に突出させ、術者はその状態を保って内視鏡の手元側で可撓性シースを摘んで前後に進退操作したり内視鏡の湾曲操作を行ったりする。
【０００５】
ただし、そのような動作の最中に、先端処置部材が体内組織に当接することにより可撓性シース内に押し込まれて引っ込んでしまうことがある。そこで、先端処置部材が可撓性シースの先端から最大限に突出した状態を保つように、補助者が操作ワイヤを手元側から押し込み続ける必要があり、常時二人がかりの手間のかかる作業になってしまう。
【０００６】
そのような不都合を解消するためには、先端処置部材を可撓性シースの先端から前方に突出する方向に付勢するばねを設ければよいと考えられる。しかし、単にそのような構成を採ると、処置具を内視鏡の処置具挿通チャンネルに挿脱する際にも先端処置部材が可撓性シースの先端から最大限に突出した状態になっているので、先端処置部材が破損したり、逆に先端処置部材で処置具挿通チャンネルの内面を傷つけたりするおそれがある。
【０００７】
そこでさらに、先端処置部材がばねの付勢力に抗して可撓性シースの先端側に引き寄せられた状態において、スライド操作部材を操作部本体に対し係止及び係止解除自在な操作部材ロック手段を設けることが考えられるが、操作部材ロック手段としてラチェット機構（例えば、実開平５−５１０５）等を設けたのでは、構造が複雑で操作性も悪くなってしまう。
【０００８】
本発明は、処置を行う際に補助者を要することなく先端処置部材が最大限に突出した状態を保つことができて、内視鏡の処置具挿通チャンネルに挿脱する際にも補助者を要することなく先端処置部材を最も退避した状態に保つことができ、しかも、シンプルな構成で操作性がよい内視鏡用前方突出型処置具を提供することを目的とする。
【課題を解決するための手段】
【０００９】
上記の目的を達成するため、本発明の内視鏡用前方突出型処置具は、内視鏡の処置具挿通チャンネルに挿脱される可撓性シースの先端部分に配置された先端処置部材が、可撓性シース内に挿通された可撓性の操作ワイヤを可撓性シースの基端に連結された操作部において軸線方向に進退操作することにより、可撓性シースの先端から前方に突出して進退するように構成された内視鏡用前方突出型処置具であって、操作部には、可撓性シースの基端に連結された操作部本体と、操作ワイヤの基端に連結されて操作部本体に対しスライド自在に係合するスライド操作部材とが設けられた内視鏡用前方突出型処置具において、先端処置部材を可撓性シースの先端から前方に突出する方向に付勢する付勢手段が設けられると共に、先端処置部材が付勢手段の付勢力に抗して可撓性シースの先端側に引き寄せられた状態において、スライド操作部材を操作部本体に対し係止及び係止解除自在な操作部材ロック手段が操作部に設けられ、その操作部材ロック手段が、スライド操作部材と共にスライドするようにスライド操作部材に連結されたスライド爪と、短軸部と長軸部とそれらをつなぐ曲げ戻し部とを有する略Ｊ字状に形成されて、短軸部が操作部本体に係止されると共に、長軸部の先端にスライド爪と係脱するロック爪が形成されて、ロック爪をスライド爪と係合しない位置まで変位させるように曲げ戻し部を弾性変形させるための押込操作用突片が長軸部の途中に突出形成された板ばね部材と、を備えているものである。
【００１０】
なお、付勢手段が可撓性シースの先端部分に内蔵されていてもよく、板ばね部材が操作部本体内に配置されていて、板ばね部材の各部のうち押込操作用突片だけが操作部本体の表面から突出していてもよい。また、スライド爪が、操作部本体内においてスライド操作部材から後方に延出配置されていてもよい。
【発明の効果】
【００１１】
本発明によれば、先端処置部材を可撓性シースの先端から前方に突出する方向に付勢する付勢手段が設けられていることにより、処置を行う際に補助者を要することなく先端処置部材が最大限に突出した状態を保つことができ、さらに、操作部材ロック手段が、スライド操作部材と共にスライドするようにスライド操作部材に連結されたスライド爪と略Ｊ字状に形成された板ばね部材とを備え、板ばね部材の短軸部が操作部本体に係止され、長軸部の先端にスライド爪と係脱するロック爪が形成されて、ロック爪をスライド爪と係合しない位置まで変位させるように曲げ戻し部を弾性変形させるための押込操作用突片が長軸部の途中に突出形成されていることにより、シンプルな構成で操作性がよく、内視鏡の処置具挿通チャンネルに挿脱する際にも補助者を要することなく先端処置部材を最も退避した状態に保つことができる。
【発明を実施するための最良の形態】
【００１２】
内視鏡の処置具挿通チャンネルに挿脱される可撓性シースの先端部分に配置された先端処置部材が、可撓性シース内に挿通された可撓性の操作ワイヤを可撓性シースの基端に連結された操作部において軸線方向に進退操作することにより、可撓性シースの先端から前方に突出して進退するように構成された内視鏡用前方突出型処置具であって、操作部には、可撓性シースの基端に連結された操作部本体と、操作ワイヤの基端に連結されて操作部本体に対しスライド自在に係合するスライド操作部材とが設けられた内視鏡用前方突出型処置具において、先端処置部材を可撓性シースの先端から前方に突出する方向に付勢する付勢手段が設けられると共に、先端処置部材が付勢手段の付勢力に抗して可撓性シースの先端側に引き寄せられた状態において、スライド操作部材を操作部本体に対し係止及び係止解除自在な操作部材ロック手段が操作部に設けられ、その操作部材ロック手段が、スライド操作部材と共にスライドするようにスライド操作部材に連結されたスライド爪と、短軸部と長軸部とそれらをつなぐ曲げ戻し部とを有する略Ｊ字状に形成されて、短軸部が操作部本体に係止されると共に、長軸部の先端にスライド爪と係脱するロック爪が形成されて、ロック爪をスライド爪と係合しない位置まで変位させるように曲げ戻し部を弾性変形させるための押込操作用突片が長軸部の途中に突出形成された板ばね部材と、を備えている。
【実施例】
【００１３】
以下、図面を参照して本発明の実施例を説明する。
図１及び図２は本発明の実施例の内視鏡用前方突出型処置具の全体構成を示しており、図１は側面断面図、図２は斜視図である。
【００１４】
図示されていない内視鏡の処置具挿通チャンネルに挿脱される可撓性シース１は、例えば四フッ化エチレン樹脂チューブ等のような電気絶縁性の可撓性チューブにより形成されている。
【００１５】
可撓性シース１内には、可撓性を有する導電性の操作ワイヤ２が軸線方向に進退自在に全長にわたって挿通配置されていて、導電性の剛体からなる先端処置部材３が可撓性シース１の先端に連結されている。なお、この実施例の先端処置部材３はフック状に形成されているが、その他の形状のものであってもよい。
【００１６】
１０は、可撓性シース１の基端側から操作ワイヤ２を進退操作するための操作部であり、可撓性シース１の基端に取り付けられた基端口金９が、操作部本体１１の先端に取り付けられた受け口金１９に対して、例えばルアーロック係合等により着脱自在に連結されている。
【００１７】
受け口金１９は、操作部本体１１に対して軸線方向には移動できないが軸線周りには回転自在に取り付けられており、受け口金１９を動かないように保持して操作部本体１１を軸線周りに回転させれば、可撓性シース１内で操作ワイヤ２が軸線周りに回転して、先端処置部材３が可撓性シース１の先端部分で軸線周り方向に回転する。
【００１８】
丸棒状に形成された操作部本体１１の手元側端部には操作者の親指を係合させるための環状の第１の指掛け１２が設けられ、操作部本体１１の丸棒状部分には一定幅のスリット１３が軸線方向に真っ直ぐにほぼ全長にわたって形成されている。
【００１９】
操作部本体１１にスライド自在に係合するスライド操作部材１４は、操作ワイヤ２の基端２ａが連結固定された板状のワイヤ連結部材１４ａと、操作者の人指し指と中指を係合させる第２の指掛け１４ｂとが一体的に結合されたものであり、図示されていない高周波電源コードを接続するための接続端子１５が操作ワイヤ２の基端２ａに電気的に導通する状態に配置されている。
【００２０】
第２の指掛け１４ｂには、操作部本体１１の丸棒状部分が緩く嵌合する断面形状が円形の貫通孔が形成され、ワイヤ連結部材１４ａはスリット１３内に軸線方向にスライド自在に嵌め込まれている。
【００２１】
したがって、矢印Ａで示されるようにスライド操作部材１４をスライド操作することにより、操作ワイヤ２が可撓性シース１内で軸線方向に進退して、矢印Ｂで示されるように先端処置部材３が可撓性シース１の先端の前方において軸線方向に進退する。また、接続端子１５に高周波電源コードを接続することにより、操作ワイヤ２を介して先端処置部材３に高周波電流を通電することができる。
【００２２】
図３は、可撓性シース１の先端付近を示しており、操作ワイヤ２と先端処置部材３は金属製の接続パイプ４により機械的及び電気的に接続されている。可撓性シース１の最先端部分には略円筒状の先端口金５が固定的に取り付けられて、その先端口金５の先端開口より内径の小さな抜け止め筒体６が先端口金５の最先端部分に固着されている。
【００２３】
先端口金５内に位置する先端処置部材３の基部には、図４にも示されるように、上下一対の係合突起８ａが側方に突出形成されている。また、抜け止め筒体６の先端内周部分には、図３におけるＶ−Ｖ断面を図示する図５に示されるように、先端処置部材３に形成された係合突起８ａが軸線方向に移動することにより係脱する放射状の係合溝８ｂが全周にわたって等間隔に形成されている。この実施例では係合溝８ｂが３０°間隔で１２個形成されていて、係合突起８ａはその中のどの係合溝８ｂに対してもガタつきなく係合することができる。
【００２４】
先端処置部材３は、可撓性シース１の先端に対して（したがって、先端口金５及び抜け止め筒体６に対しても）軸線方向に進退自在に配置されていて、図３に示されるように係合突起８ａが抜け止め筒体６の先端小径部に後方から当接することにより、先端処置部材３のそれ以上の前進が規制される。
【００２５】
したがって、先端処置部材３がその進退範囲の前端の最も突出した位置にあるときは、係合突起８ａが係合溝８ｂに係合していて、先端処置部材３が可撓性シース１の先端に対して軸線周り方向に回転できない状態になる。
【００２６】
そして、先端処置部材３が操作ワイヤ２で牽引されて後方（即ち、可撓性シース１内の方向）に退避すると、図６に示されるように係合突起８ａと係合溝８ｂとの係合が外れて、先端処置部材３が可撓性シース１の先端に対して軸線周り方向に自由に回転できる状態になり、手元側で可撓性シース１に対して操作部１０を軸線周りに回転させることにより、可撓性シース１の先端で先端処置部材３が軸線周り方向に回転する。
【００２７】
このように構成された内視鏡用処置具の可撓性シース１の先端に取り付けられた先端口金５内には、図３及び図６に示されるように、圧縮コイルスプリング７（付勢手段）が、先端処置部材３を常に可撓性シース１の先端から前方に突出する方向に付勢する状態に、係合突起８ａの後端に後方から当接して配置されている。
【００２８】
したがって、操作部１０が何も操作されていない状態では、図３に示されるように、先端処置部材３が最も突出した状態になって、回転規制手段８が係合状態（即ち、係合突起８ａと係合溝８ｂとが係合した状態）になっている。
【００２９】
そして、操作部１０でスライド操作部材１４により操作ワイヤ２が牽引操作された状態の時だけ、図６に示されるように、先端処置部材３が後方に退避して、回転規制手段８の係合状態が解除され、先端処置部材３が可撓性シース１に対して軸線周り方向に回転可能になる。
【００３０】
そのような構成により、本実施例の内視鏡用前方突出型処置具を内視鏡の処置具挿通チャンネルに通して使用している最中に、必要に応じて可撓性シース１の先端に対する先端処置部材３の向きを調整することができる。
【００３１】
そして、スライド操作部材１４の牽引操作を止めることで、図３に示されるように、先端処置部材３が圧縮コイルスプリング７の付勢力により可撓性シース１の先端から前方に最も突出した状態まで押し出される。
【００３２】
すると、回転規制手段８が係合状態になるので、先端処置部材３が可撓性シース１の先端で軸線周り方向に自由に回転できないロック状態になり、圧縮コイルスプリング７の付勢力によりその状態が保たれて安全かつ容易に切開処置等を行うことができる。
【００３３】
図１及び図２に戻って、操作部１０には、先端処置部材３が圧縮コイルスプリング７の付勢力に抗して可撓性シース１の先端側に引き寄せられた状態において、スライド操作部材１４を操作部本体１１に対し係止及び係止解除自在な操作部材ロック手段１６，２０が設けられている。
【００３４】
その部分の斜視断面図である図７に詳細に図示されるように、操作部材ロック手段１６，２０は、スライド操作部材１４と共にスライドする状態にワイヤ連結部材１４ａに連結されたスライド爪１６と、スライド爪１６と係脱するロック爪２１が形成されて操作部本体１１側に取り付けられた板ばね部材２０とで構成されている。
【００３５】
スライド爪１６は、操作部本体１１のスリット１３内においてワイヤ連結部材１４ａから後方に延出配置された延出ロッド１７の先端に形成されていて、スライド操作部材１４（即ち、ワイヤ連結部材１４ａと第２の指掛け１４ｂ）と一体となってスリット１３内で軸線方向にスライドする。
【００３６】
板ばね部材２０は、例えばポリアセタール樹脂等のようなばね性を有するプラスチック材からなる板ばね材により、短軸部２２と長軸部２３とそれらをつなぐ曲げ戻し部２４とを有する略Ｊ字状に形成されてスリット１３内に配置されている。そして、短軸部２２の先端に側方に突出形成された係止突起２５が、操作部本体１１に形成された係止孔１８に嵌め込まれることにより、板ばね部材２０が操作部本体１１に係止されている。
【００３７】
ロック爪２１は長軸部２３の先端に形成されていて、スライド爪１６と斜面どうしで当接する状態に配置されている。その結果、延出ロッド１７が矢印Ｃで示されるように軸線方向に進退してそれと共にスライド爪１６が移動すると、ロック爪２１がスライド爪１６で押されることにより、板ばね部材２０の長軸部２３が矢印Ｄで示されるように揺動する状態に曲げ戻し部２４が弾性変形する。
【００３８】
また、長軸部２３の途中位置には、ロック爪２１をスライド爪１６と係合しない側方位置まで変位させるように曲げ戻し部２４を弾性変形させるための押込操作用突片２６が側方に突出形成されている。
【００３９】
前述のように板ばね部材２０は操作部本体１１内のスリット１３に収容されているが、押込操作用突片２６の突端だけは、操作部本体１１に形成された側孔１９から操作部本体１１外に突出しており、矢印Ｅで示されるように押込操作用突片２６を押し込み操作すると、矢印Ｄで示されるようにロック爪２１がスライド爪１６と係合しない位置まで退避する。
【００４０】
図８はスライド爪１６がロック爪２１と係合した状態を示しており、矢印Ｆで示されるようにスライド操作部材１４を後方に引く操作をすることにより、スライド爪１６によって押し退けられたロック爪２１が、最後には図８に示されるようにスライド爪１６と噛み合った状態に係合し、先端処置部材３が可撓性シース１の先端側に引き寄せられた退避状態になって、第２の指掛け１４ｂから手を離してもその状態が保たれる。
【００４１】
したがって、図示されていない内視鏡の処置具挿通チャンネルに可撓性シース１を挿脱する際には、そのような状態にすることにより、先端処置部材３が破損したり、逆に先端処置部材３で処置具挿通チャンネルの内面を傷つけたりするおそれがない。
【００４２】
そして、可撓性シース１の先端が処置具挿通チャンネル内を通過し終わったら、矢印Ｅで示されるように押込操作用突片２６を押し込み操作することによりスライド爪１６とロック爪２１との係合が外れ、その結果、図１に示されるように、先端処置部材３が圧縮コイルスプリング７の付勢力で前方に最も突出した状態になってその状態が保たれるので、内視鏡を操作する術者による一人操作でも安定した状態で処置を行うことができる。
【００４３】
このように、スライド爪１６と板ばね部材２０を設けるだけという極めて簡単な構成により、そして板ばね部材２０に形成された押込操作用突片２６を押し込み操作するだけという極めて簡単な操作により、前述のような優れた作用効果を得ることができる。
【図面の簡単な説明】
【００４４】
【図１】本発明の実施例の内視鏡用前方突出型処置具の先端処置部材が突出した状態の全体構成を示す側面断面図である。
【図２】本発明の実施例の内視鏡用前方突出型処置具の全体構成を示す斜視図である。
【図３】本発明の実施例の内視鏡用前方突出型処置具の先端部分の側面断面図である。
【図４】本発明の実施例の内視鏡用前方突出型処置具の先端処置部材の斜視図である。
【図５】本発明の実施例の内視鏡用前方突出型処置具の図３におけるＶ−Ｖ断面図である。
【図６】本発明の実施例の内視鏡用前方突出型処置具の先端部分の動作を説明する側面断面図である。
【図７】本発明の実施例の内視鏡用前方突出型処置具の操作部の部分斜視断面図である。
【図８】本発明の実施例の内視鏡用前方突出型処置具の先端処置部材が退避した状態の全体構成を示す側面断面図である。
【符号の説明】
【００４５】
１  可撓性シース
２  操作ワイヤ
３  先端処置部材
７  圧縮コイルスプリング（付勢手段）
１０  操作部
１１  操作部本体
１３  スリット
１４  スライド操作部材
１４ａ  ワイヤ連結部材
１４ｂ  第２の指掛け
１６  スライド爪（操作部材ロック手段）
２０  板ばね部材（操作部材ロック手段）
２１  ロック爪
２２  短軸部
２３  長軸部
２４  曲げ戻し部
２６  押込操作用突片
【図１】
2008295609.tif 000003
【図２】
2008295609.tif 000004
【図３】
2008295609.tif 000005
【図４】
2008295609.tif 000006
【図５】
2008295609.tif 000007
【図６】
2008295609.tif 000008
【図７】
2008295609.tif 000009
【図８】
2008295609.tif 000010